(57)【要約】【課題】容器内に各別に収容した２つの異なる化粧料などの各種液体を各別に排出することができるとともに、小型化も可能で携帯するのに適した、二つの液体収容室を備えた容器を提供する。【課題の解決手段】容器１は、それぞれ異なった液体を収容する内側液体収容室Ａと、外側液体収容室Ｂとを備え、各液体収容室Ａ，Ｂには上下方向の反対側にそれぞれ小径開口部３ａ，４ｄを形成してなり、内側液体収容室Ａの小径開口部４ｄには、ポンプ取付体５によって吐出ノズル１５から内側液体収容室Ａ内の液体を排出するポンプ１０を取り付け、外側液体収容室Ｂの小径開口部３ａには排出口２４ａから外側液体収容室Ｂ内の液体を排出する排出筒２４を固着する。【選択図】図１
2019059514.tif 000002
【特許請求の範囲】
【請求項１】
それぞれ異なった液体を収容する内側液体収容室と、外側液体収容室とを備え、各液体収容室には上下方向の反対側に液体排出部を設けてなり、前記各液体排出部はポンプまたは排出口からなることを特徴とする二つの液体収容室を備えた容器。
【請求項２】
前記各液体排出部は両方ともポンプ、あるいは両方とも排出口で構成されることを特徴とする請求項１の二つの液体収容室を備えた容器。
【請求項３】
前記各液体排出部は一方がポンプ、他方が排出口で構成されることを特徴とする請求項１記載の二つの液体収容室を備えた容器。
【発明の詳細な説明】
【技術分野】
【０００１】
本発明は、二つの液体収容室に異なる化粧料などの各種液体を各別に収容するとともに、収容した各種液体を各液体収容室から各別に排出する、二つの液体収容室を備えた容器に関する。
【背景技術】
【０００２】
従来のこの種容器は、二連式に並設した液体収容室を有し、各液体収容室に異なった液体を収容するとともに、各液体収容室の上下方向の同一側、例えば上側に、各別にポンプを配設し、これらポンプを作動させることにより、各液体収容室内の液体を各別に、あるいは同時に排出するよう構成しているのが一般的である（特許文献１）。また、内容器と外容器からなる二重式の容器も知られているが、この従来の二重式容器は、液体収容室は内容器のみであり、この内容器に液体を排出するポンプが設けられる一方、外容器は内容器の保護容器として構成されている（特許文献２）。
【先行技術文献】
【特許文献】
【０００３】
【特許文献１】特許第５８６８６７８号公報
【特許文献２】特許第５７８９０６３号公報
【発明の概要】
【発明が解決しようとする課題】
【０００４】
このため、上述した従来の液体を収容する容器によると、二連式の構成では、二つの異なる液体を収容可能ではあるが、液体収容室を並設するので、容器が大型化するため外出時等に携帯するには適さないという不都合を有する。また、二重式の構成では、実質的に液体収容室は一つなので、二つの異なる液体を収容できないという不都合がある。本発明は、これらの不都合を解消し、容器内に収容した２つの異なる化粧料などの各種液体を各別に排出することができるとともに、小型化も可能で携帯するのに適した、二つの液体収容室を備えた容器を提供することを目的とする。
【課題を解決するための手段】
【０００５】
この目的を達成するため本発明の請求項１に係る二つの液体収容室を備えた容器は、それぞれ異なった液体を収容する内側液体収容室と、外側液体収容室とを備え、各液体収容室には上下方向の反対側に液体排出部を設けてなり、前記各液体排出部はポンプまたは排出口からなるものである。
【０００６】
また、同じく前記目的を達成するために、本発明の請求項２に係る二つの液体収容室を備えた容器は、前記請求項１の構成において、前記各液体排出部は両方ともポンプ、あるいは両方とも排出口で構成されるものである。
【０００７】
また、同じく前記目的を達成するために、本発明の請求項３に係る二つの液体収容室を備えた容器は、前記請求項１の構成において、前記各液体排出部は一方がポンプ、他方が排出口で構成されるものである。
【発明の効果】
【０００８】
本発明の請求項１〜３に係る二つの液体収容室を備えた容器によれば、内側液体収容室と外側液体収容室に、それぞれ異なる液体を収容し、各液体収容室の液体排出部を上下方向の反対側に設けたので、容器を二重構造にすることで小型化が可能になるとともに、異なる液体を各液体収容室から各別に排出することができるという効果を奏する。
【図面の簡単な説明】
【０００９】
【図１】本発明の第１の実施形態を示す中央縦断正面図。
【図２】本発明の第２の実施形態を示す中央縦断正面図。
【図３】同じくポンプの液体排出開始時を示す部分拡大中央縦断正面図。
【図４】同じくポンプの液体排出終了時を示す部分拡大中央縦断正面図。
【図５】同じくポンプの液体吸引動作時を示す部分拡大中央縦断正面図。
【図６】本発明の第３の実施形態を示す中央縦断正面図。
【発明を実施するための形態】
【００１０】
以下、本発明の好適な実施形態について説明する。まず、第１の実施形態を図１に基づいて説明する。図１に示すように、容器１は、内側液体収容室Ａと外側液体収容室Ｂを備えている。内側液体収容室本体２は有底でほぼ円筒状であり、凸曲面状の底面を有し、上端に向けて徐々に拡径するとともに最上端がさらに拡径して段部を形成する最大拡径部２ａとなり、この最大拡径部２ａの内周面で容器肩部４における環状の内周壁４ａの下端外周面の段差部にレーザー溶接により液密に固着されている。前記容器肩部４の上端は縮径されて小径開口部４ｄを形成している。この容器肩部４の小径開口部４ｄ及び内周壁４ａと前記内側液体収容室本体２によって形成される空間が内側液体収容室Ａを構成し、前記小径開口部４ｄが内側液体収容室Ａの液体排出部を装着するための開口となる。
【００１１】
外側液体収容室本体３はほぼ円筒状で、下端は縮径されて小径開口部３ａを形成する一方、上端は、容器肩部４の外周壁４ｂの下端外周面と環状凸縁４ｃの下面にレーザー溶接により液密に固着されている。前記外側液体収容室本体３と容器肩部４の内周壁４ａと外周壁４ｂ及び内側液体収容室本体２によって形成される空間が外側液体収容室Ｂを構成する。また、前記小径開口部３ａが外側液体収容室Ｂの液体排出部を装着するための開口となる。なお、前記内側液体収容室本体２と前記外側液体収容室本体３とは、軸線Ｘを中心軸線とし、前記外側液体収容室Ｂの小径開口部３ａと内側液体収容室Ａの小径開口部４ｄは、各液体収容室Ａ，Ｂの上下方向の反対側、すなわち容器１の上下方向の反対側に位置している。
【００１２】
小径開口部４ｄの外周には雄ネジ４ｅが設けられ、この雄ネジ４ｅに内周面の雌ネジ５ａを螺合することで上面部を有する有底円筒状のポンプ取付体５が固定されている。このポンプ取付体５の上面部には嵌合凹部５ｂを有する二重壁状の取付筒５ｃが突設され、この取付筒５ｃに、内側液体収容室Ａに収容された液体（図示せず、以下同じ）を適量ずつ、容器１外に排出する液体排出部であるポンプ１０が、そのハウジング１１の上端が前記嵌合凹部５ｂに嵌入して取り付け固定されている。前記ハウジング１１の鍔部１１ａは、上面がポンプ取付体５の上面部の下面に液密に当接し、下面はシールリング１２を介して小径開口部４ｄの上端面に液密に当接している。
【００１３】
ポンプ１０の上端に位置するほぼ円筒状の上部ピストン１３には、駆動ヘッド１４の嵌合筒１４ａが嵌合されている。前記駆動ヘッド１４の外周面下端は、ポンプ取付体５の上面に一体的に立設された環状の案内壁５ｄの内周面と相対している。また、前記駆動ヘッド１４には嵌合筒１４ａに連通する吐出ノズル１５が設けられ、この吐出ノズル１５は、前記上部ピストン１３を介してハウジング１１内部と連通している。前記駆動ヘッド１４は上下動可能で、この上下動にともない前記上部ピストン１３も上下動する。
【００１４】
上部ピストン１３は取付筒５ｃの内周面に上下動可能に支持され、下端部は拡径されるとともに肉薄となってハウジング１１内に伸びて、前記ハウジング１１内に上下動可能に配置されたほぼ円筒状の下部ピストン１６の外段部１６ａと係合している。この上部ピストン１３の下端部は、ハウジング１１内周面に摺接してシール機能を有する。また、前記上部ピストン１３の拡径境界部分の内面には複数の凸部１３ａが形成され、これら凸部１３ａに前記下部ピストン１６の上端に一体的に設けた円錐ヘッド１６ｂの頂部が係合している。そして、前記円錐ヘッド１６ｂの周囲には複数の羽根を設けて連通路１６ｃを形成し、この連通路１６ｃと前記各凸部１３ａ間の空間を介して、前記下部ピストン１６の内部と前記上部ピストン１３の内部が連通している。前記下部ピストン１６の下端部及び中央部は、ハウジング１１内周面に摺接してシール機能を有する。
【００１５】
ハウジング１１の下部に固定した支持体１７と下部ピストン１６の内段部１６ｄとの間にコイルバネ１８が配設され、このコイルバネ１８によって前記下部ピストン１６は上方に弾発付勢され、前記コイルバネ１８の下端は前記支持体１７に固定されている。また、ハウジング１１内には、前記コイルバネ１８が伸縮動作する際のガイドを兼ねる容量制御棒１９が配置されている。２０，２１は前記ハウジング１１に設けた通気孔で、通気孔２０はハウジング１１と上部ピストン１３で形成される空間の圧力を調整し、通気孔２１はハウジング１１と下部ピストン１６で形成される空間の圧力を調整するものである。
【００１６】
２２はボール弁で、このボール弁２２はハウジング１１の弁座１１ｂに配置され、ハウジング１１の下端開口部である導入口１１ｃからの液体の流入を制御している。また、ハウジング１１の下端には，導入口１１ｃから導入パイプ２３の上端部が挿入固定されている。そして、上述した導入パイプ２３，ハウジング１１、容量制御棒１９、下部ピストン１６、上部ピストン１３、ポンプ取付体５、嵌合筒１４ａは、軸線Ｘと同軸上に配置されている。
【００１７】
一方、外側液体収容室本体３の小径開口部３ａには、底面に排出口２４ａを有する有底円筒状の排出筒２４が液密に固着され、この排出筒２４の前記排出口２４ａが液体排出部を構成する。前記小径開口部３ａの外周面には雄ネジ３ｂが形成されている。この雄ネジ３ｂと螺合可能な雌ネジ２５ｂを内周面に形成した内筒２５ａを備えた下部キャップ２５が、前記雄ネジ３ｂに前記雌ネジ２５ｂが螺合することによって前記小径開口部３ａに取り付けられ、螺合状態を解くことで前記小径開口部３ａから取り外される。この下部キャップ２５は、取付状態時に前記排出口２４ａ内に突入してこれを閉塞する凸部２５ｃを有している。なお、容器肩部４には、上面部を有する有底円筒状の上部キャップ２６がその下端内周面において、着脱可能に嵌合されている。
【００１８】
続いて、上述した実施形態の排出動作を説明する。まず、外側液体収容室Ｂ内に収容された化粧料などの液体を外部に排出する動作を説明する。外側液体収容室Ｂ内に液体（図示せず）が所定量収容されている初期待機状態（図１状態）において、下部キャップ２５を回転して雌雄ネジ２５ｂ，３ｂの螺合状態を解除し、前記下部キャップ２５を取り外すと、排出口２４ａが露出する。ここで、排出口２４ａが下を向くようにして、容器１を上下方向に振れば、外側液体容器室Ｂ内の液体は、排出口２４ａから外部に適量ずつ排出される。
【００１９】
次に、内側液体収容室Ａ内に収容された化粧料などの液体を外部に排出する動作を説明する。図１状態において、上部キャップ２６を外して駆動ヘッド１４を押し下げると、上部ピストン１３が下降し、下部ピストン１６もコイルバネ１８の弾発付勢力に抗して下降する。これによって、ハウジング１１内の圧力が高まり、この圧力によって前記下部ピストン１６から下のハウジング１１内の液体は前記下部ピストン１６内を通って連通路１６ｃから上部ピストン１３内へと移動し始める。
【００２０】
駆動ヘッド１４をさらに押し下げて、駆動ヘッド１４の下端がポンプ取付体５の上面部と接する最下降位置まで達すると、下降が阻止される。この状態でハウジング１１内の圧力は最大となり、ほとんど下部ピストン１６内に移動していたハウジング１１内の液体は、さらに上部ピストン１３内へと移動して、上部ピストン１３内の液体とともに、吐出ノズル１５から排出される。
【００２１】
ここで、駆動ヘッド１４に加えていた押し下げ力を解除すると、下部ピストン１６，上部ピストン１３及び駆動ヘッド１４はコイルバネ１８の弾発力で原位置に復帰し、再び待機状態となる。この時、ハウジング１１内の圧力は内側液体収容室Ａの圧力よりも小さくなって、ボール弁２２が開放状態となり、ハウジング１１内に内側液体収容室Ａ内の液体が導入パイプ２３を介して流入し、次の動作に備える状態となる。
【００２２】
続いて、本発明の第２の実施形態について図２〜図５に基づいて説明する。本実施形態は、液だれを防止する、いわゆるバックサクション型のポンプを用いたもので、上述した第１の実施形態と異なるのは、内側液体収容室本体の固着構造とポンプに関連する構成だけである。このため、以下には第１の実施形態と相違する構成についてのみ説明し、同一の構成については対応する構成要素に同一の符号を付するに止め、詳細な説明は省略する。図２に示すように、容器５１内に設けた内側液体収容室本体４２は、その上端の肉薄部４２ａの外周面で容器肩部４における環状の内周壁４ｆの下端内周面の段差部にレーザー溶接により液密に固着されている。
【００２３】
図２〜図５に示すように、ポンプ３０の上端に位置するほぼ円筒状の上部ピストン３３には、駆動ヘッド３４の嵌合筒３４ａが嵌合されている。前記駆動ヘッド３４の外周面下端は、ポンプ取付体３５の上面に一体的に立設された環状の案内壁３５ｄの内側に対応位置している。また、前記駆動ヘッド３４には、前記嵌合筒３４ａを介して前記上部ピストン３３内に連通するように、液体を排出する吐出口３４ｂを設けている。
【００２４】
上部ピストン３３はポンプ取付体３５の取付筒３５ｃに上下動可能に支持され、下部は大径部３３ａとなって段部３３ｂを形成し、前記大径部３３ａは、その外周面が前記取付筒３５ｃの内周面に摺接可能に形成されている。この上部ピストン３３には、下部ピストン３６の上端部が嵌着固定されている。前記下部ピストン３６は、上部は円筒状で下部は丸棒状であり、これらの境界部分にはスカート部３６ａが形成され、前記上部には上下各一対の連通孔３６ｂ、３６ｃが設けられている。また、前記スカート部３６ａの下部には、外周側に突出する係合段部３６ｄが設けられている。
【００２５】
上下各ピストン３３，３６が内部を上下往復動するほぼ円筒状のハウジング３１は、その上端がポンプ取付体３５の嵌合凹部３５ｂに嵌合されるとともに、鍔部３１ａがシールリング３２を介して前記ポンプ取付体３５と小径開口部４ｄに上下から挟持されることで、固定されている。前記ハウジング３１の下部の徐々に縮径された内面には弁座３１ｄが設けられ、この弁座３１ｄには逆止弁であるボール弁３９が配置されている。前記ハウジング３１には通気孔３１ｅが設けられ、前記弁座３１ｄに続く筒部下端の開口部が導入口３１ｃになっている。また、前記ボール弁３９の近傍には、環状で下端部分が鍔状に拡径された係止部４０ａを有する筒状ストッパ４０が配置されている。この筒状ストッパ４０の内径は、下部ピストン３６の丸棒状部分が突入するのに十分な大きさを有している。
【００２６】
筒状ストッパ４０の係止部４０ａと下部ピストン３６の係合段部３６ｄとの間にはコイルバネ３７が配置されて、前記下部ピストン３６を上方へ弾発付勢する一方、前記筒状ストッパ４０を下方に弾発付勢している。また、前記筒状ストッパ４０の上端内周面に形成した段部４０ｂとボール弁３９の間にはコイルバネ４１が配置されて、前記ボール弁３９を下方に弾発付勢し、前記筒状ストッパ４０を上方に弾発付勢している。このコイルバネ４１の弾発力は、前記コイルバネ３７の弾発付勢力よりは弱く設定され、前記筒状ストッパ４０を上方へ移動させることはできない一方、ハウジング３１内の圧力が内側液体収容室Ａ内の圧力より所定以上小さくなるまでは、前記ボール弁３９を弁座３１ｄに密着させて閉鎖状態を維持できるように設定している。
【００２７】
下部ピストン３６の上部外周面とハウジング３１の内周面との間には、下部で連結された２重環状のシール弁３８が、摺動可能に配置されている。このシール弁３８は、その内環３８ａ内周面全周に間隔をおいて多数形成した突縁で、下部ピストン３６の各一対の連通孔３６ｂ、３６ｃの間の外周面に適宜な摩擦力を介して摺接する一方、その外環３８ｂ上下両端部の外周面でハウジング３１の内周面に適宜な摩擦力を介して摺接している。このシール弁３８の前記下部ピストン３６との摺接面である各突縁の間には、多数の凹溝が全周にわたって存在し、これら凹溝によって上下空間を連通している。
【００２８】
シール弁３８は、図２に示す上下各ピストン３３，３６が最上位位置にある待機状態時には、内環３８ａの下端が下部ピストン３６のスカート部３６ａに密接し、外環３８ｂの上端がポンプ取付体３５の取付筒３５ｃの下端に密接して、ハウジング３１内の空間と上下各ピストン３３，３６内の空間を遮断状態としている。一方、図４に示す上下各ピストン３３，３６が最下位位置にある排出終了時には、前記シール弁３８は、外環３８ｂの下端がハウジング３１の段部３１ｂに密接し、内環３８ａの上端が上部ピストン３３の段部３３ｂに密接して、ハウジング３１内の空間と上下各ピストン３３，３６内の空間を連通状態としている。
【００２９】
続いて、上述した実施形態の排出動作を説明するが、排出口２４ａからの排出動作は上述した第１の実施形態と同一であるからその説明は省略し、ポンプ３０の排出動作についてのみ説明する。内側液体収容室Ａ内に液体（図示せず）が所定量収容されている待機状態（図２参照）において、上部キャップ２６を外して、駆動ヘッド３４を押し下げると、上下各ピストン３３，３６もコイルバネ３７の弾発力に抗して下降し、下部ピストン３６のスカート部３６ａはシール弁３８の内環３８ａ下端から離反して、遮断状態であったハウジング３１内の空間と下部ピストン３６内の空間を連通孔３６ｂ及び凹溝と連通孔３６ｃを介して連通状態とする。そして、前記ハウジング３１内におけるスカート部３６ａから下の空間の圧力が高まり、この圧力によって前記スカート部３６ａから下の空間の液体は、連通孔３６ｃを通るとともに、シール弁３８の凹溝から連通孔３６ｂを通って下部ピストン３６内に移動し始める。
【００３０】
駆動ヘッド３４の下降にともない、上部ピストン３３の段部３３ｂとシール弁３８の内環３８ａの上端が密接し、前記シール弁３８は上下各ピストン３３，３６とともに下降して、ハウジング３１内におけるスカート部３６ａから下の空間の圧力がより高まると、上下各ピストン３３，３６内の液体が吐出口３４ｂから排出され始める（図３参照）。さらに駆動ヘッド３４を押し下げて、シール弁３８の外環３８ｂの下端がハウジング３１の段部３１ｃに密接すると、スカート部３６ａの下端は筒状ストッパ４０の上端に係止される。これによって下降が阻止され、下部ピストン３６は最下位位置に達する（図４参照）。この状態でハウジング３１内の液体への圧力は最大となり、吐出口３４ｂからの液体の排出動作は終了する。そして、吐出口３４ｂ内には液体が残留し、液体の粘度によっては、表面張力で前記吐出口３４ｂから突出した状態となる。
【００３１】
ここで、駆動ヘッド３４に加えていた押し下げ力を解除すると、コイルバネ３７の弾発力で上下各ピストン３３，３６は上方に移動するので、ハウジング３１内の容積は増加して、内側液体収容室Ａに対して負圧となり、前記上下各ピストン３３，３６内の液体は連通孔３６ｂ及び凹溝と連通孔３６ｃを通ってハウジング３１内に引き込まれ、これとともに吐出口３４ｂ内に残留する液体は上下各ピストン３３，３６内に引き込まれる（図５参照）。これによって、液だれが防止される。
【００３２】
この時、ボール弁３９はコイルバネ４１の弾発力で弁座３１ｄに密接して閉鎖状態を維持するので、ハウジング３１内の圧力が下がっても内側液体収容室Ａ内の液体が前記ハウジング３１内に流入することはなく、前記ハウジング３１内の負圧状態は維持されて、前述した上下各ピストン３３，３６内の液体を連通孔３６ｂ及び凹溝と連通孔３６ｃを通ってハウジング３１内に引き込む吸引動作及び吐出口３４ａに残留する液体を上下各ピストン３３，３６内に引き込む吸引動作は確実になされる。また、上下各一対の連通孔３６ｂ、３６ｃから液体を引き込むので、この吸引動作は連通孔が一つの場合よりも迅速になされる。
【００３３】
上下各ピストン３３，３６が上昇して、スカート部３６ａにシール弁３８の内環３８ａの下端が当接すると、ハウジング３１内と上下各ピストン３３，３６内とは遮断状態になるので、前述の吸引動作は停止し、前記シール弁３８は上下各ピストン３３，３６とともに上昇する。さらに上下各ピストン３３，３６が上昇すると、ハウジング３１内の圧力はより小さくなっていき、所定圧力以下になると、コイルバネ４１の弾発力に抗してボール弁３９が開放状態となって、ハウジング３１内に内側液体収容室Ａ内の液体が流入する。この流入によって、ハウジング３１内の圧力が一定以上になると、ボール弁３９はスプリング４１の弾発力で再び閉鎖状態に復帰し、ハウジング３１内と内側液体収容室Ａ内を非連通状態とする。
【００３４】
さらに上下各ピストン３３，３６が上昇して、シール弁３８の外環３８ｂの上端がポンプ取付体３５の取付筒３５ｃの下端に当接すると、駆動ヘッド３４、上下各シリンダ３３，３６及びシール弁３８の上昇動作は停止し、次の動作に備える待機状態（図２参照）となる。
【００３５】
続いて、本発明の第３の実施形態について図６に基づいて説明する。本実施形態が上述した第１及び第２の実施形態と異なるのは、内側液体収容室Ａ内の液体は排出口から排出し、外側液体収容室Ｂ内の液体はポンプで排出するように構成した点であり、ポンプの構成は導入パイプの長さを除いて、第２の実施形態と同一である。したがって、以下には相違する構成についてのみ説明し、第１及び第２の実施形態と同一の構成については対応する構成要素に同一の符号を付するに止め、詳細な説明は省略する。
【００３６】
容器６１の外側液体収容室本体６３の内部には、その下端に設けた小径開口部６３ａに対応位置してこれと連通するように、内側液体収容室本体６２が一体的に設けられている。この内側液体収容室本体６２は、円筒状で上端は閉塞された凸状曲面を有している。また、前記小径開口部６３ａには、有底円筒状の排出筒６４が液密に固着され、その底面には液体排出部である排出口６４ａが開口されている。前記小径開口部６３ａの外周面には雄ネジ６３ｂが形成されている。この雄ネジ６３ｂと螺合可能な雌ネジ６５ｂを内周面に形成した内筒６５ａを備えた下部キャップ６５が、前記雄ネジ６３ｂに前記雌ネジ６５ｂが螺合することによって前記小径開口部６３ａに固定され、螺合状態を解くことで前記小径開口部６３ａから取り外される。この下部キャップ６５は、螺合状態時に排出口６４ａ内に突入してこれを閉塞する凸部６５ｃを有している。
【００３７】
なお、容器肩部６６は、小径開口部６６ｄと雄ネジ部６６ｅを有するが、内側液体収容室本体６２を固着する必要がないので、上述した各実施形態における内周壁４ａ，４ｆに対応する構成要素は設けられていない。前記容器肩部６６の外周壁６６ｂの下端外周面と環状凸縁６６ｃの下面に、外側液体収容室本体６３の上端がレーザー溶接により液密に固着されている。また、ポンプ３０の導入パイプ６７は湾曲して、内側液体収容室本体６２の凸状曲面に沿って伸び、外側液体収容室Ｂの底面に達している。
【００３８】
本実施形態における内側液体収容室Ａの排出口６４ａからの液体排出動作は、第１、第２の実施形態と同一であり、外側液体収容室Ｂのポンプ３０による液体排出動作は、第２の実施形態と同一であるので、それらの説明は省略する。
【００３９】
なお、本発明は、上述した各実施形態に限定されるものではなく、例えば、上部ピストン１３，３３と下部ピストン１６，３６は、別体ではなく一体に形成しても良い。また、第２及び第３の実施形態における下部ピストン３６に設ける各連通孔３６ｂ、３６ｃは、それぞれ一対に限定されず，例えば１つずつや、３つずつ設けても良い。さらに、ポンプ１０，３０の構成は上述したものに限定されない。またさらに、各液体排出部は、上述したポンプ１０，３０と排出口２４ａ，６４ａとの組み合わせに限らず、ポンプ１０，３０同士あるいは排出口２４ａ，６４ａ同士の組み合わせでもよい。
【符号の説明】
【００４０】
１，５１，６１      容器
２．４２，６２      内側容器本体
３，６３      外側容器本体
３ａ，６３ａ      小径開口部
４，６６      容器肩部
４ａ，４ｆ      内周壁
４ｂ，６６ｂ      外周壁
４ｃ，６６ｃ      環状凸縁
４ｄ，６６ｄ      小径開口部
５，３５      ポンプ取付体
５ｂ，３５ｂ      嵌合凹部
５ｃ，３５ｃ      取付筒
１０，３０      ポンプ
１１，３１      ハウジング
１１ｃ，３１ｃ      導入口
１２，３２      シールリング
１３，３３      上部ピストン
１４、３４      駆動ヘッド
１５      吐出ノズル
１６，３６      下部ピストン
１６ｃ      連通路
１８，３７，４１      コイルバネ
２０，２１      通気孔
２２，３９      ボール弁
２３，６７      導入パイプ
２４，６４      排出筒
２４ａ，６４ａ      排出口
２５，６５      下部キャップ
２６      上部キャップ
３４ｂ      吐出口
３８      シール弁
４０      筒状ストッパ
４０ａ      係止部
４０ｂ      段部
Ａ      内側液体収容室
Ｂ      外側液体収容室
【図１】
2019059514.tif 000003
【図２】
2019059514.tif 000004
【図３】
2019059514.tif 000005
【図４】
2019059514.tif 000006
【図５】
2019059514.tif 000007
【図６】
2019059514.tif 000008